(57)【要約】【課題】  画面の切替時などの待ち時間に応じた最適な内容を表示器に表示させることができ、画面表示切替時の待ち時間にユーザに対して有用な情報提供を可能にする。【解決手段】  実施形態によれば、映像表示装置は、映像情報を表示する表示部２０と、待ち時間用の複数の画面情報を生成する表示画面生成部１３３と、表示部２０での表示に待ち時間を伴う処理を指定するコマンドが検出された場合に、処理に必要な処理時間ｗｔを算出する処理時間算出部１２４と、処理時間ｗｔに応じて画面情報を選択する表示画面制御部１３４と、を具備する。表示画面生成部１３３は、指定されたコンテンツから短時間用の第１の画面情報と長時間用の第２の画面情報を作成する。表示画面制御部１３４は、処理時間ｗｔを参照時間Ｔと比較し、ｗｔ≦の場合に第１の画面情報を選択し、ｗｔ＞Ｔの場合に第２の画面情報を選択する。【選択図】      図１
2012134633.tif 000002
【特許請求の範囲】
【請求項１】
映像情報を表示する表示部と、
指定されたコンテンツから短時間用の第１の画面情報と長時間用の第２の画面情報を生成する表示画面生成部と、
前記表示部に所望画面を表示させるのに待ち時間を伴う処理を指定するコマンドの有無を検出し、前記コマンドが検出された場合に、前記処理に必要な処理時間ｗｔを算出する処理時間算出部と、
前記処理時間ｗｔを参照時間Ｔと比較し、ｗｔ≦Ｔの場合に前記第１の画面情報を選択し、ｗｔ＞Ｔの場合に前記第２の画面情報を選択し、前記待ち時間に前記選択された画面情報を前記表示部に表示させる表示画面制御部と、
を具備した映像表示装置。
【請求項２】
前記コマンドの有無を検出するために、前記コマンドに対応するリモコン操作を検出する、請求項１記載の映像表示装置。
【請求項３】
前記コンテンツは、予めアドレスが設定されたウェブサイトの情報であり、
前記表示画面生成部は、前記ウェブサイトを定期的にアクセスして情報を更新するものである、請求項１記載の映像表示装置。
【請求項４】
前記第１の画面情報は、前記ウェブサイトのタイトルと代表画像であり、前記第２の画面情報は、前記ウェブサイトのタイトル，代表画像，及び文字情報の一部である、請求項３記載の映像表示装置。
【請求項５】
前記表示画面生成部は、前記第１又は第２の画面情報と共に、前記処理の進捗情報を表す情報を１画面に統合するものである、請求項１記載の映像表示装置。
【請求項６】
前記表示画面生成部は、複数のコンテンツ毎に前記第１の画面情報と前記第２の画面情報を生成するものであり、
前記表示画面制御部は、前記第１又は第２の画面情報の複数個を同時に選択し、選択した第１又は第２の画面情報の複数個を１画面に統合するものである、請求項１記載の映像表示装置。
【請求項７】
前記表示画面生成部は、テーマ毎に分類されたコンテンツの前記第１の画面情報と前記第２の画面情報を生成するものであり、
前記表示画面制御部は、選択されたテーマに相当するコンテンツの前記第１又は第２の画面情報を選択するものである、請求項１記載の映像表示装置。
【請求項８】
前記テーマを選択するために、現在視聴している番組に関連するテーマ、時間帯により自動的に決まるテーマ、又はユーザにより指定されたテーマを選択する、請求項７記載の映像表示装置。
【請求項９】
ＴＶ放送を受信してＴＶ情報信号を生成するＴＶ信号処理部と、
ウェブ情報を受信してウェブ情報信号を生成するウェブ信号処理部と、
前記ＴＶ信号処理部と前記ウェブ信号処理部との各出力を切り替えて出力する切替回路と、
前記切替回路で切り替えられた信号を画面表示する表示部と、
を具備し、
前記ウェブ信号処理部は、
予め設定された複数のウェブサイトに定期的にアクセスして短時間用の第１の画面情報と長時間用の第２の画面情報を生成するウェブ情報表示画面生成部と、
前記表示部に所望画面を表示させるのに待ち時間を伴う処理を指定するリモコン操作の有無を検出する検出部と、
前記検出部で前記リモコン操作が検出された場合に、前記処理に必要な処理時間ｗｔを算出する処理時間算出部と、
前記算出した処理時間ｗｔを所定の待ち時間Ｔと比較し、ｗｔ≦Ｔの場合は前記第１の画面情報を選択し、ｗｔ＞Ｔの場合は前記第２の画面情報を選択するウェブ情報表示画面制御部と、
前記切替回路を、前記リモコン操作の検出時から前記処理時間ｗｔが経過するまで、前記ウェブ情報表示画面制御部で選択した画面情報に切り替える切替制御部と、
を有している映像表示装置。
【請求項１０】
映像表示装置の表示部に、指定されたコマンドに応じた画面情報を表示させる映像表示方法であって、
予め設定されたコンテンツから短時間用の第１の画面情報と長時間用の第２の画面情報を生成しておき、
前記表示部に所望画面を表示させるのに待ち時間を伴う処理を指定するコマンドの有無を検出し、
前記コマンドが検出されたら、前記処理に必要な処理時間ｗｔを算出し、
前記処理時間ｗｔを参照時間Ｔと比較し、ｗｔ≦Ｔの場合に前記第１の画面情報を選択し、ｗｔ＞Ｔの場合に前記第２の画面情報を選択し、
前記選択された画面情報を、前記コマンドの検出時から前記処理時間ｗｔが経過するまで前記表示部に表示させる、映像表示方法。
【請求項１１】
前記コンテンツは、予めアドレスが設定されたウェブサイトの情報であり、
前記ウェブサイトを定期的にアクセスして情報を更新する、請求項１０記載の映像表示方法。
【請求項１２】
前記第１の画面情報を、前記ウェブサイトのタイトルと代表画像で生成し、前記第２の画面情報を、前記ウェブサイトのタイトル，代表画像，及び文字情報の一部で生成する、請求項１１記載の映像表示方法。
【請求項１３】
前記第１又は第２の画面情報と共に、前記処理の進捗情報を表す情報を１画面に統合して表示させる、請求項１０記載の映像表示方法。
【請求項１４】
映像表示装置の表示部に表示させる画面情報を切り替える操作をコンピュータに実施させる、コンピュータ読み取り可能なプログラムであって、
予め設定されたコンテンツから短時間用の第１の画面情報と長時間用の第２の画面情報を生成する手順と、
前記表示部に表示させる画面の切り替えを要し、画面の切り替えに待ち時間を伴う処理を指定するリモコン操作の有無を検出する手順と、
前記リモコン操作が検出された場合に、前記処理に必要な処理時間ｗｔを算出する手順と、
前記処理時間ｗｔを参照時間Ｔと比較し、ｗｔ≦Ｔの場合に前記第１の画面情報を選択し、ｗｔ＞Ｔの場合に前記第２の画面情報を選択する手順と、
前記選択された画面情報を、前記リモコン操作の検出時から前記処理時間ｗｔが経過するまで前記表示部に表示させる手順と、
をコンピュータに実施させる映像表示切替プログラム。
【発明の詳細な説明】
【技術分野】
【０００１】
本発明の実施形態は、画面表示の切替時などにコンテンツ情報を表示させるようにした映像表示装置、映像表示方法、及び映像表示切替プログラムに関する。
【背景技術】
【０００２】
近年、ＴＶ受像器においては、ウェブブラウザが搭載されたものがあり、この種のＴＶ受像器では、ＴＶ放送時にリモコン操作で一部ウェブサイトの情報を閲覧することが可能となっている。ＴＶ受像器上でウェブサイトを見るためには、リモコン操作によるＵＲＬの入力といった手間が掛かる。その手間を減らすために、ブックマーク機能を使ってブックマーク済みの特定ウェブサイトへのアクセスをチャンネル番号に割り当てて、特定ウェブサイトへのアクセスを簡便化する方法も提案されている。
【０００３】
一方、ＴＶ受像器の高機能化により、ＴＶ起動時や、放送画面からウェブ情報の表示画面へ変遷する間、ＴＶ設定を反映するまでの間など、ＴＶ操作時にユーザには複数の待ち時間が発生する。従来、この待ち時間については、処理中であることの表示を行うか、ユーザ操作後の表示内容の一部又は特定のコンテンツ情報を表示するといったアプローチが取られている。
【先行技術文献】
【特許文献】
【０００４】
【特許文献１】特開２００９−１２４５９０号公報
【特許文献２】特開２０１０−１８３２６０号公報
【発明の概要】
【発明が解決しようとする課題】
【０００５】
従来の映像表示装置においては、画面表示の切替などを伴う操作により待ち時間が発生する場合がある。待ち時間に処理中であることを画面に表示しても、ユーザは待ち時間が発生していることが分かるだけで、あまりメリットはない。また、ユーザ操作後の表示内容の一部や特定のコンテンツ情報を表示した場合、待ち時間に対して表示内容が単純な場合、ユーザはその内容を短時間で認識し、その後は待つことになる。逆に、表示内容が複雑過ぎると、ユーザは待ち時間に画面内容を認識することはできない。つまり、待ち時間によっては表示内容が簡単すぎたり複雑すぎる課題があり、待ち時間にユーザ操作後の表示内容の一部やコンテンツ情報を表示しても有効とは云えなかった。
【０００６】
本発明の目的は、画面の切替時などの待ち時間に応じた最適な内容を表示器に表示させることができ、画面表示切替時の待ち時間にユーザに対して有用な情報提供を可能にする映像表示装置を提供することにある。
【０００７】
また、本発明の他の目的は、上記の映像表示装置に用いるのに適した映像表示方法及び映像表示切替プログラムを提供することにある。
【課題を解決するための手段】
【０００８】
本実施形態によれば、映像表示装置は、映像情報を表示する表示部と、待ち時間用の複数の画面情報を生成する表示画面生成部と、前記表示部での表示に待ち時間を伴う処理を指定するコマンドが検出された場合に、前記処理に必要な処理時間ｗｔを算出する処理時間算出部と、前記処理時間ｗｔに応じて画面情報を選択する表示画面制御部と、を具備する。表示画面生成部は、指定されたコンテンツから短時間用の第１の画面情報と長時間用の第２の画面情報を作成する。表示画面制御部は、処理時間ｗｔを参照時間Ｔと比較し、ｗｔ≦の場合に第１の画面情報を選択し、ｗｔ＞Ｔの場合に第２の画面情報を選択する。
【図面の簡単な説明】
【０００９】
【図１】第１の実施形態に係わるＴＶ受像器の全体構成を示すブロック図。
【図２】図１のＴＶ受像器に用いたウェブ情報表示画面生成部の構成を示すブロック図。
【図３】第１の実施形態における画面選択の動作を説明するためのフローチャート。
【図４】第１の実施形態における表示画面の例を示す模式図。
【図５】第２の実施形態を説明するためのもので、ウェブ情報表示画面生成部における記憶情報を示す図。
【図６】第２の実施形態を説明するためのもので、表示画面の例を示す模式図。
【図７】第３の実施形態を説明するためのもので、ウェブ情報表示画面生成部における記憶情報を示す図。
【図８】第３の実施形態を説明するためのもので、画面選択の動作を示すフローチャート。
【発明を実施するための形態】
【００１０】
以下、実施の形態について、図面を参照して説明する。
【００１１】
（第１の実施形態）
図１は、第１の実施形態に係わるＴＶ受像器の全体構成を示すブロック図である。
【００１２】
図中の１００はＴＶ受像器本体であり、この本体１００にはアンテナ１０、モニタ２０が接続され、更にはリモコン３０の信号を受信可能、インターネット４０に接続可能となっている。
【００１３】
ＴＶ受像器本体１００は、ＴＶ放送受信部１１１，映像音声切替部１１２，映像音声出力情報生成部１１３，及び記録部１１４からなるＴＶ信号処理部と、リモコン受信部１２１，制御部１２２，表示切替／出力部１２３，及び処理時間算出部１２４からなる切替操作部と、ネットワークＩ／Ｆ部１３１，ウェブ情報受信部１３２，ウェブ情報表示画面生成部１３３，及びウェブ情報表示画面制御部１３４からなるウェブ信号処理部とで構成されている。
【００１４】
放送受信部１１１は、ＴＶチューナを備えたものであり、制御部１２２に設定されたチャンネルに対応するＴＶ放送を受信する。記録部１１４は、ハードディスクや半導体メモリを備えたものであり、制御部１２２からの指令により放送受信部１１１で受信されたＴＶ放送を記録する。映像音声切替部１１２は、制御部１２２からの指令により、放送受信部１１１からの信号と記録部１１４からの信号を切り替えるようになっている。映像音声出力情報生成部１１３は、切替部１１２を介して得られる信号からモニタ２０に表示可能なＴＶ情報信号を生成するようになっている。
【００１５】
リモコン受信部１２１は、リモコン３０からの操作信号を受信する。ここで、ＴＶリモコンは、ＴＶ受像器の処理を指定する各種コマンドを入力するためのものであり、従ってリモコン操作信号を受信することはコマンドの有無を検出することに相当している。コマンドの有無を検出する手段としては、ＴＶ受像器本体に設けられたスイッチの操作を検出しても良い。
【００１６】
制御部１２２は、リモコン３０からの指令に応じて各部に制御指令を出す。例えば、放送受信部１１１に受信すべきチャンネル情報を送り、記録部１１４に記録指示情報を送り、表示切替／出力部１２３に切替情報を送り、処理時間算出部１２４にリモコン操作信号を送る。表示切替／出力部１２３は、制御部１２２からの指令により映像音声出力情報生成部１１３からの信号とウェブ情報表示画面生成部１３３からの信号を切り替え、これらの信号の何れかをモニタ２０に出力するようになっている。処理時間算出部１２４は、制御部１２２からの指令によりＴＶ操作の切替時に切替に要する処理時間ｗｔを算出するようになっている。
【００１７】
なお、処理時間算出部１２４は、全てのリモコン操作に対して動作するのではなく、モニタ２０に所望画面を表示させるのに一定以上の待ち時間を伴う処理を指定するリモコン操作に対して動作するようになっている。また、処理時間算出部１２４では、ＴＶ操作と処理時間との関係をテーブル化しておき、操作に応じた処理時間をテーブルを参照して求めるようにしても良い。
【００１８】
ネットワークＩ／Ｆ部１３１は、ＬＡＮや無線ＬＡＮによりインターネット４０に接続されたネットワークに接続されている。ウェブ情報受信部１３２は、指定されたアドレスのウェブサイトを受信する。ウェブ情報表示画面生成部１３３は、ウェブ情報受信部１３２で受信されたウェブサイトの表示画面を生成すると共に、予め設定された複数のウェブサイトに定期的にアクセスして短時間用の画面と長時間用の画面を生成するようになっている。ウェブ情報表示画面制御部１３４は、処理時間算出部１２４で算出された処理時間ｗｔに応じて短時間用の画面と長時間用の画面の何れかを選択し、選択した画面を表示切替／出力部１２３に出力するようになっている。
【００１９】
ここで、ウェブ情報表示画面生成部１３３は、図２に示すように、ウェブ情報受信部１３２で受信されたウェブサイトのデータを解析するデータ解析部３１０と、解析結果に基づいて画面を作成する画面作成部３２０と、作成された画面を記憶する画面記憶部３３０とから構成されている。
【００２０】
データ解析部３１０では、ウェブサイトのＨＴＭＬファイルから「キーワード」、「文書」、及び「映像」が抽出される。キーワードとしては、例えばタイトルが抽出される。映像としては、例えば複数の画像があればそのうちの代表画像が選択される。映像には、ＨＴＭＬファイルのＩＭＧ要素で指定されているｊｐｅｇファイルなど静止画だけでなく、特定のｄｉｖ要素に埋め込まれたＦｌａｓｈファイルなど動画も含まれる。コンテンツ文書としては、テキストデータの一部であり、例えばサマリーが抽出される。
【００２１】
画面作成部３２０では、抽出されたキーワードと映像から短時間用画面（第１の画面情報）が作成され、抽出されたキーワード、映像、及び文書から長時間用画面（第２の画面情報）が作成される。そして、これらの画面は画面記憶部３３０に記憶される。さらに、上記の待ち時間用の画面の作成は、一定時間おきに更新されるようになっている。画面記憶部３３０では、これらの待ち時間用の画面を別々に記憶しておき、表示画面制御部１３４からの指令により何れかを選択して表示切替／出力部１２３に出力するようになっている。
【００２２】
なお、画面生成部３２０では、待ち時間用の画面とは別に、ウェブサイトそのもののフル画面も作成も可能であり、作成されたフル画面は画面記憶部３３０に記憶されるようになっている。これは、ウェブサイトの閲覧に用いられる。
【００２３】
ＴＶ放送の受信の場合は、放送受信部１１１で放送すべきチャンネルの情報を受信し、映像音声切替部１１２で放送受信部１１１を選択し、映像音声出力情報生成部でＴＶ情報信号を生成する。そして、表示切替／出力部１２３をＴＶ側に切り替えてモニタ２０にＴＶ情報を表示させる。記録部１１４に録画された放送を視聴する場合は、映像音声切替部１１２で記録部１１４を選択し、映像音声出力情報生成部１１３でＴＶ情報信号を生成することにより、モニタ２０に録画されたＴＶ情報を表示させる。
【００２４】
一方、ウェブ受信部１３２には予めウェブサイトのアドレスが設定されており、設定されたウェブサイトにアクセスしてウェブ情報を取得するようにしている。そして、ウェブ情報表示画面生成部１３３で、受信したウェブサイトの情報から短時間用画面及び長時間用画面が作成され、記憶されている。さらに、ウェブ受信部１３２によるウェブサイトのアクセスを定期的に更新することにより、最新のウェブサイトの情報から各画面が作成されることになる。
【００２５】
リモコン３０により、モニタ２０に表示させる画面の切替を要する操作を行った場合、例えばＴＶ視聴からウェブ閲覧へと切り替えた場合、図３のフローチャートに示すように、処理時間算出部１２４により画面の切替に要する時間ｗｔが算出される（ステップＳ１）。続いて、算出された処理時間ｗｔと予め設定された待ち時間（参照時間）Ｔとが比較される（ステップＳ２）。そして、ｗｔ≦Ｔの場合は、ウェブ情報表示画面制御部１３４からウェブ情報表示画面生成部１３３に対して、短時間用ウェブ表示画面の問い合わせが成される。（ステップＳ３）。ｗｔ＞Ｔの場合は、ウェブ情報表示画面制御部１３４からウェブ情報表示画面生成部１３３に対して、長時間用ウェブ表示画面の問い合わせが成される（ステップＳ４）。その後、問い合わせに応じた画面が選択され、表示切替／出力部１２３によりウェブ側を選択することにより、モニタ２０に待ち時間用のウェブ画面が表示される（ステップＳ５）。
【００２６】
図４に表示画面の一例を示す。図４（ａ）は短時間用画面であり、同一ウェブサイトからの情報であるタイトル４０１と映像４０２で構築されている。図４（ｂ）は長時間用画面であり、同一ウェブサイトからの情報であるタイトル４０１と映像４０２に加え、文章４０３で構築されている。ここで、図４（ａ）では、表示領域を有効に使用するために映像４０２は拡大され、図４（ｂ）では、文章４０３の領域を確保するために映像４０２は縮小されている。
【００２７】
このように、ＴＶ操作に伴う処理が終了するまで、モニタ２０に予め登録したウェブサイトの一部を表示させることができる。しかも、処理時間に応じて表示内容を変えることにより、ユーザは待ち時間に有用な情報を見ることができる。具体的には、処理時間が短い時間の場合は、タイトルと映像のみで瞬時に必要な情報を把握することができ、処理時間が長い時間の場合は、タイトルと映像に加え文章を読むことにより、詳しい情報を把握することができる。
【００２８】
なお、処理が終了したら、ウェブ情報表示画面制御部１３４によりウェブ情報表示画面生成部１３３に記憶されたウェブのフル画面を選択することにより、モニタ２０にウェブサイトのホームページ等が表示されることになる。
【００２９】
このように本実施形態によれば、ＴＶ操作の切替時に、切替処理が終了するまでの間に、モニタ２０に処理時間に応じた内容の画面を表示させることができる。従って、表示画面の切替時の待ち時間に応じた最適な内容を表示させることができ、画面表示切替時の待ち時間にユーザに対して有用な情報提供が可能となる。
【００３０】
（第２の実施形態）
図５及び図６は第２の実施形態を説明するためのもので、図５はウェブ情報表示画面生成部における記憶情報を示す図、図６は表示画面の例を示す模式図である。
【００３１】
本実施形態の装置構成は先に説明した第１の実施形態と同様であり、基本的な動作も第１の実施形態と同様である。本実施形態が第１の実施形態と異なる点は、待ち時間用の画面として、１つのウェブ情報を表示するのではなく、複数のウェブ情報を表示することにある。
【００３２】
前記ウェブ情報表示画面生成部１３３では、図５に示すように、複数のウェブサイト（例えば４つ）に対してそれぞれ短時間用画面ＳＰ（SP1〜SP4）と長時間用画面ＬＰ（LP1〜LP4）を作成し、記憶している。例えばＵＲＬ１はニュース関連のウェブサイトからの情報、ＵＲＬ２は天気予報のウェブサイトからの情報、ＵＲＬ３はスポーツ関連のウェブサイトからの情報、ＵＲＬ４はＴＶ関連のウェブサイトからの情報である。
【００３３】
本実施形態において、ＴＶ視聴からウェブ閲覧に切り替えられた場合、先の第１の実施形態と同様に処理時間ｗｔが算出され、ｗｔ≦Ｔの場合は短時間用画面が選択され、ｗｔ＞Ｔの場合は長時間用画面が選択される。
【００３４】
図６に、複数のウェブサイトからの情報を統合して表示する例を示す。図６（ａ）は短時間用の画面であり、図６（ｂ）は長時間用の画面である。本実施形態の表示画面は、処理の進捗状況を示す領域６５０と、ウェブ情報を示す例えば４つの領域６１０，６２０，６３０，６４０で構成されている。６１１，６２１，６３１，６４１はタイトル、６１２，６２２，６３２，６４２は映像、６１３，６２３，６３３，６４３は文章である。
【００３５】
各領域６１０〜６４０には異なるウェブサイトの情報が表示される。例えば、６１０はＵＲＬ１に対応したニュース関連のウェブサイトからの情報、６２０はＵＲＬ２に対応した天気予報のウェブサイトからの情報、６３０はＵＲＬ３に対応したスポーツ関連のウェブサイトからの情報、６４０はＵＲＬ４に対応したＴＶ関連のウェブサイトからの情報である。
【００３６】
このように本実施形態では、リモコン操作の待ち時間に複数の情報を一度に閲覧することが可能となる。従って、先の第１の実施形態と同様の効果が得られるのは勿論のこと、ユーザーに対して多くの情報提供が可能となる。
【００３７】
なお、待ち時間に表示するウェブサイトの数は、必ずしも４個に限るものではなく、ユーザの設定により適宜変更することができる。さらに、予め設定するウェブサイトのアドレスも適宜変更可能である。
【００３８】
（第３の実施形態）
図７及び図８は第３の実施形態を説明するためのもので、図７はウェブ情報表示画面生成部における記憶情報を示す図、図８は画面選択の動作を示すフローチャートである。
【００３９】
本実施形態の装置構成は先の第１の実施形態と同様であり、基本的な動作も第１の実施形態と同様である。本実施形態が第１の実施形態と異なる点は、テーマ毎に異なる種類の画面群をプリセットしておき、ＴＶ操作の切替時に予め指定したテーマのウェブ情報を表示することにある。
【００４０】
前記ウェブ情報表示画面生成部１３３では、図７に示すように、テーマ毎にＵＲＬが設定されており、テーマ毎に複数のウェブサイト（例えば２つ）に対してそれぞれ短時間用画面ＳＰと長時間用画面ＬＰを作成し、記憶している。例えば、テーマ１では、ＵＲＬ１の短時間用画面ＳＰ１と長時間用画面ＬＰ１、及びＵＲＬ２の短時間用画面ＳＰ２と長時間用画面ＬＰ２が作成・記憶されている。テーマ２では、ＵＲＬ３の短時間用画面ＳＰ３と長時間用画面ＬＰ３、及びＵＲＬ４の短時間用画面ＳＰ４と長時間用画面ＬＰ４が作成・記憶されている。テーマ３では、ＵＲＬ５の短時間用画面ＳＰ５と長時間用画面ＬＰ５、及びＵＲＬ６の短時間用画面ＳＰ６と長時間用画面ＬＰ６が作成・記憶されている。
【００４１】
リモコン３０の操作によりＴＶ視聴からウェブ閲覧へ切り替えた場合、図８のフローチャートに示すように、予め指定されたテーマが選択される（ステップＳ１）。その後、処理時間算出部１２４により切り替えに要する時間ｗｔが算出される（ステップＳ２）。続いて、算出された処理時間ｗｔと予め設定された待ち時間（参照時間）Ｔとが比較される（ステップＳ３）。そして、ｗｔ≦Ｔの場合は、ウェブ情報表示画面制御部１３１からウェブ情報表示画面生成部１３３に対して、選択したテーマの短時間用ウェブ表示画面の問い合わせが成される。（ステップＳ４）。ｗｔ＞Ｔの場合は、ウェブ情報表示画面制御部１３１からウェブ情報表示画面生成部１３３に対して、選択したテーマの長時間用ウェブ表示画面の問い合わせが成される（ステップＳ５）。その後、問い合わせに応じた画面が選択され、表示切り替え／出力部１２３によりウェブ側を選択することにより、モニタ２０に待ち時間用のウェブ画面が表示される（ステップＳ６）。
【００４２】
テーマの選択手法としては、ユーザの指定により予め選択することができる。また、現在のＴＶ視聴に関連するテーマを自動で選択するようにしても良い。この場合、ＥＰＧの番組表からキーワードを抽出し、このキーワードに近いテーマを選択するようにすればよい。さらに、時間帯により自動で選択するようにしても良い。例えば、早朝であれば、本日の天気予報、電車情報等を含むテーマが選択されるようにすればよい。
【００４３】
このように本実施形態によれば、リモコン操作の待ち時間に予め指定したテーマのウェブ情報を閲覧することが可能となる。従って、先の第１の実施形態と同様の効果が得られるのは勿論のこと、ユーザーに対してより有効な情報提供が可能となる。
【００４４】
（変形例）
なお、本発明は上述した実施形態に限定されるものではない。操作の切替は、ＴＶ放送→ウェブ閲覧に限らず、ＴＶ放送→データ放送、ＴＶ放送→ビデオレコーダ、電源ＯＮ時など、比較的時間の掛かる処理を要する操作切り替えに適用することができる。
【００４５】
ＴＶ放送からデータ放送への切替では、データの１画面分を受信して映像信号を作成するのに時間が掛かり、この待ち時間に実施形態のような情報を表示するのは有効である。ＴＶ視聴からレコーダ視聴への切替では、例えば、ＴＶ受像器とビデオレコーダが映像ケーブルで接続され、ＴＶ受像器で映像入力をレコーダに切り替えた時にレコーダの電源がＯＮする設定では、レコーダを選択してもレコーダが立ち上がるまでにかなりの時間を要する。この待ち時間に実施形態のような情報を表示するのは有効である。ＴＶ受像器の電源ＯＮ時は、ＴＶ受像器の高機能化により完全に立ち上がるまで時間が掛かる場合があり、この場合に実施形態のような情報を表示するのは有効である。
【００４６】
また、待ち時間に表示するコンテンツは必ずしもウェブサイトの情報に限るものではなく、映像及び説明文等を有する情報であればよい。さらに、表示するコンテンツは予めハードディスク等の記憶された情報でも良く、リアルタイムでネットワーク等から抽出した情報でも良い。ＲＳＳフォーマットの情報
また、第１の画面情報としては、必ずしもタイトルと映像のみに限るものではなく、極めて少ない文字や文章を含むものであっても良い。さらに、第２の画面情報としては、ＲＳＳフォーマットの情報を用いることも可能である。
【００４７】
また、本発明は必ずしもＴＶ受像器に限るものではなく、映像情報を表示可能な各種の映像表示装置に適用することが可能である。特に、表示部に所望画面を表示させるのに待ち時間を伴う処理を必要とする装置に適用するのが有用である。
【００４８】
また、実施形態において記載した手法は、コンピュータに実行させることのできるプログラムとして、例えば磁気ディスク（フロッピー（登録商標）ディスク，ハードディスク等）、光ディスク（ＣＤ−ＲＯＭ，ＤＶＤ等）、半導体メモリなどの記録媒体に書き込んで各種装置に適用したり、通信媒体により伝送して各種装置に適用することも可能である。本発明を実現するコンピュータは、記録媒体に記録されたプログラムを読み込み、このプログラムによって動作が制御されることにより、上述した処理を実行するものであればよい。
【００４９】
本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５０】
１０…アンテナ
２０…モニタ
３０…リモコン
４０…インターネット
１００…ＴＶ受像器本体
１１１…放送受信部
１１２…映像得音声切替部
１１３…映像得音声出力情報生成部
１１４…記録部
１２１…リモコン受信部
１２２…制御部
１２３…表示切替／出力部
１３１ネットワークＩ／Ｆ部
１３２…ウェブ情報受信部
１３３…ウェブ情報表示画面生成部
１３４…ウェブ情報表示画面制御部
３１０…データ解析部
３２０…画面作成部
３３０…画面記憶部
【図１】
2012134633.tif 000003
【図２】
2012134633.tif 000004
【図３】
2012134633.tif 000005
【図４】
2012134633.tif 000006
【図５】
2012134633.tif 000007
【図６】
2012134633.tif 000008
【図７】
2012134633.tif 000009
【図８】
2012134633.tif 000010